(57)【要約】【課題】器具本体の製造コストの削減を図る。【解決手段】照明器具１は、光源ユニット２と、光源ユニット２を支持する器具本体１０とを有している。光源ユニット２は、ＬＥＤ３０と、板状に形成されてＬＥＤ３０が取り付けられる取付部材４と、取付具８とを備える。器具本体１０は、天井躯体９に設けられている吊りボルト９０に固定される収容部１１と、収容部１１に結合される反射部材１２とを備える。収容部１１は、取付ばね８０が引っ掛けられる引掛部１１４を有する。【選択図】        図４
2018147592.tif 000002
【特許請求の範囲】
【請求項１】
光源ユニットと、前記光源ユニットを支持する器具本体とを有し、
前記光源ユニットは、光源と、板状に形成されて前記光源が取り付けられる取付部材と、取付具とを備え、
前記器具本体は、天井に設けられている構造物に固定される第１本体と、前記第１本体に結合されて前記光源ユニットが発する光の配光を調整する第２本体とを備え、
前記第１本体は、前記取付具の一部が引っ掛けられる引掛部を有する
ことを特徴とする照明器具。
【請求項２】
前記第１本体は、四辺形状の底壁と、前記底壁の周縁から立ち上がる四辺形状の側壁とを有し、前記底壁と対向する一面に前記側壁に囲まれた開口部を有する箱状に形成されており、
前記第２本体は、軸方向に沿った両側の端部が開口した筒状の囲い部と、前記両側の端部のうちの片側の端部から前記軸方向に沿って前記囲い部から離れる向きに突出する側板とを有し、
前記側壁は、前記側板に係止する係止部を有し、
前記係止部は、前記側板が前記底壁から離れる向きに変位することを妨げるように構成されている
ことを特徴とする請求項１記載の照明器具。
【請求項３】
前記引掛部は、前記側壁をその厚み方向に貫通する孔を有し、前記側壁における前記孔の縁に前記取付具の一部が引っ掛けられるように構成され、
前記側板は、その厚み方向に沿って前記孔と重なる貫通孔を有しており、
前記光源ユニットは、前記取付具の一部が前記引掛部に引っ掛けられた状態で前記器具本体に支持されている
ことを特徴とする請求項２記載の照明器具。
【請求項４】
前記器具本体は、導電性を有する前記第１本体と導電性を有する前記第２本体とを電気的に導通させる導通部を備える
ことを特徴とする請求項１〜３のいずれか１項に記載の照明器具。
【発明の詳細な説明】
【技術分野】
【０００１】
本発明は、照明器具に関し、より詳細には、光源ユニットと、光源ユニットを支持する器具本体とを有する照明器具に関する。
【背景技術】
【０００２】
従来例として、特許文献１記載の照明器具を例示する。この従来例は、器具本体と、光源ブロックとを備える。光源ブロックは、複数の光源ユニットと、複数の光源ユニットが取り付けられる取付板とを有する。器具本体は、角筒状の枠体と、矩形平板状のベース板とが結合されることにより、下面が開放された矩形箱状に形成される。器具本体は、ベース板に設けられたボルト挿通孔に挿通される吊りボルトにナットが締め付けられることで天井に取り付けられる。光源ブロックは、枠体に設けられている複数のラッチによって器具本体の枠体に取り付けられる。
【先行技術文献】
【特許文献】
【０００３】
【特許文献１】特開２０１５−１４１７６２号公報
【発明の概要】
【発明が解決しようとする課題】
【０００４】
ところで、上記従来例では、器具本体を構成する２つの部品（枠体とベース板）のうち、吊りボルトに取り付けられる部品（ベース板）と、光源ブロックが取り付けられる部品（枠体）とが異なっていた。そのため、枠体には光源ブロックを支えるための機械的な強度が要求され、ベース板には枠体と光源ブロックを支えるための機械的な強度が要求されていた。その結果、上記従来例は、器具本体の製造コストの削減を図ることが困難であった。
【０００５】
本発明の目的は、器具本体の製造コストの削減を図ることが可能な照明器具を提供することである。
【課題を解決するための手段】
【０００６】
本発明の一態様に係る照明器具は、光源ユニットと、前記光源ユニットを支持する器具本体とを有している。前記光源ユニットは、光源と、板状に形成されて前記光源が取り付けられる取付部材と、取付具とを備える。前記器具本体は、天井に設けられている構造物に固定される第１本体と、前記第１本体に結合されて前記光源ユニットが発する光の配光を調整する第２本体とを備える。前記第１本体は、前記取付具の一部が引っ掛けられる引掛部を有する。
【発明の効果】
【０００７】
本発明の照明器具は、器具本体の製造コストの削減を図ることが可能になるという効果がある。
【図面の簡単な説明】
【０００８】
【図１】図１は、本発明の一実施形態に係る照明器具の斜視図である。
【図２】図２は、同上の照明器具の側面図である。
【図３】図３は、同上の照明器具の別の側面図である。
【図４】図４は、同上の照明器具の分解斜視図である。
【図５】図５は、同上の照明器具における器具本体の分解斜視図である。
【図６】図６は、同上の照明器具の要部の断面図である。
【図７】図７は、同上の照明器具における光源ユニットの下方から見た分解斜視図である。
【図８】図８は、同上の光源ユニットの上方から見た分解斜視図である。
【図９】図９は、同上の光源ユニットのカバーを省略した斜視図である。
【図１０】図１０は、同上の光源ユニットの変形例の下方から見た斜視図である。
【発明を実施するための形態】
【０００９】
本発明の一実施形態に係る照明器具について、図面を参照して詳細に説明する。本実施形態の照明器具１は、天井に埋込配設される埋込型の照明器具である。なお、以下の実施形態で説明する構成は本発明の一例にすぎない。本発明は、以下の実施形態に限定されず、本発明の効果を奏することができれば、設計等に応じて種々の変更が可能である。すなわち、照明器具１は、埋込型の照明器具に限定されず、例えば、天井に直付けされる直付け型の照明器具であってもよい。
【００１０】
本実施形態の照明器具１は、図１及び図４に示すように、光源ユニット２と、光源ユニット２を支持する器具本体１０とを備えている。ただし、以下の説明では、特に断りのない限り、図４において照明器具１の上下、前後及び左右の各方向を規定する。
【００１１】
器具本体１０は、図４及び図５に示すように、下面が開口した直方体形状（箱形）の第１本体（収容部１１）と、上面及び下面が開口した四角錐台状（角筒状）の第２本体（反射部材１２）とを有している。収容部１１は、正方形状の底壁１１０と、底壁１１０の４つの辺から下向きに突出する長方形状の４つの側壁１１１とを有している。底壁１１０は、給電用の電源線が挿通される複数の挿通孔１１００を有している。挿通孔１１００に挿通される電源線は、底壁１１０の下面に取り付けられている端子台１３に電気的に接続される。さらに、底壁１１０は、建物の躯体（天井躯体９）に埋め込まれている吊りボルト９０が挿通される複数のボルト挿通孔１１０１を有している（図４参照）。これら複数のボルト挿通孔１１０１は、左右方向に一列に並ぶように底壁１１０に設けられている。収容部１１の底壁１１０及び４つの側壁１１１は、鋼板などの金属板によって一体に形成されることが好ましい。
【００１２】
左側の側壁１１１及び右側の側壁１１１の各々は、一対の係止部１１２と、一対の導通部１１３とを有している（図５参照）。一対の係止部１１２は、各側壁１１１の内側面から斜め上方に突出している（図６参照）。なお、これらの係止部１１２は、側壁１１１の一部が切り起こされて形成されることが好ましい。また、一対の導通部１１３は、側壁１１１の一部が切り起こされて形成されている（図５参照）。さらに、左側の側壁１１１及び右側の側壁１１１の各々は、一対の規制部１１５を有している。一対の規制部１１５は、概ね矩形平板状であって、各側壁１１１の長手方向（前後方向）の両端における内側の側面から、前側及び後側の側壁１１１と平行するように突出している。なお、これらの規制部１１５は、各側壁１１１から切り起こして形成されることが好ましい。
【００１３】
前側の側壁１１１及び後側の側壁１１１の各々は、一対の係止部１１２と、引掛部１１４とを有している（図５参照）。一対の係止部１１２は、左側及び右側の側壁１１１の係止部１１２と同様に、側壁１１１の一部が切り起こされることにより、各側壁１１１の内側面から斜め上方に突出するように形成されている。引掛部１１４は、側壁１１１の長手方向の中央に設けられている。引掛部１１４は、側壁１１１をその厚み方向に貫通する孔を有している。ただし、前側の引掛部１１４の孔は、逆Ｕ字状に形成され、後側の引掛部１１４の孔は、Ｈ字状に形成されている（図５参照）。
【００１４】
反射部材１２は、４つの反射板１２０と、各反射板１２０の上端からそれぞれ上向きに突出する４つの側板１２１と、各反射板１２０の下端から前後方向及び左右方向に突出する枠体１２２とを有している（図５参照）。各反射板１２０は、台形状に形成されている。各側板１２１は、概ね台形状に形成されている。なお、４つの反射板１２０により、軸方向（上下方向）に沿った両側の端部（上端部及び下端部）が開口した筒状の囲い部が構成されている。各側板１２１は、収容部１１の４つの側壁１１１のうちの対応する１つの側壁１１１にそれぞれ結合される。枠体１２２は、正方形の枠状に形成され、４つの反射板１２０のそれぞれの下端とつながっている。反射部材１２は、４つの反射板１２０の内側面（反射面）によって光源ユニット２が発する光の配光を調整するように構成されている。
【００１５】
４つの側板１２１は、すべて同一の形状に形成されている。各側板１２１は、一対の矩形の係止孔１２３と、矩形の貫通孔１２４と、一対の台形状の孔１２５とを有している（図５参照）。貫通孔１２４は、側板１２１の長手方向におけるほぼ中央に設けられている。一対の孔１２５は、側板１２１の長手方向に沿って貫通孔１２４の両側に設けられている。一対の係止孔１２３は、その長手方向を側板１２１の長手方向に揃え、かつ、側板１２１の長手方向に沿って一対の孔１２５の両側に設けられている。４つの側板１２１にそれぞれ一対ずつ設けられている係止孔１２３に、収容部１１の４つの側壁１１１にそれぞれ一対ずつ設けられている係止部１１２のうちの対応する１つの係止部１１２が１つずつ挿入される。係止孔１２３に挿入された係止部１１２は、各側板１２１における係止孔１２３の上側の縁に当たることにより、側板１２１に係止される（図４及び図６参照）。つまり、係止部１１２は、側板１２１が底壁１１０から離れる向き（下向き）に変位することを妨げるように構成されている。
【００１６】
上述のように、合計８つの係止部１１２がそれぞれ側壁１１１に係止されることにより、収容部１１と反射部材１２が結合されて器具本体１０が構成される（図４参照）。また、各側壁１１１に設けられている一対の導通部１１３は、対応する孔１２５に挿通されるように折り曲げられる（図４参照）。折り曲げられた導通部１１３は、側板１２１における孔１２５の縁に接触する。つまり、収容部１１は、導通部１１３を介して反射部材１２と電気的に導通している。さらに、側壁１１１に設けられている引掛部１１４は、側壁１１１及び側板１２１の厚み方向（前後方向）に沿って、側板１２１に設けられている貫通孔１２４と重なっている（図４参照）。
【００１７】
ここで、器具本体を構成する２つの部品がねじ止めによって結合される場合、ねじ締め作業によって器具本体の組立作業の作業性が低下するおそれがある。これに対して、照明器具１の器具本体１０は、側壁１１１に設けられている係止部１１２が側板１２１に設けられている係止孔１２３に挿入されることで収容部１１と反射部材１２が結合されるように構成されている。そのため、ドライバなどの工具を使わずに収容部１１と反射部材１２を結合させることができ、器具本体１０の組立作業の作業性の低下を抑制することができる。また、係止部１１２は、側板１２１が底壁１１０から離れる向き（下向き）に変位することを妨げるように構成されている。そのため、地震による強い揺れが生じた場合に係止部１１２の係止が外れ難くなり、反射部材１２が落下する可能性を低くすることができる。
【００１８】
光源ユニット２は、図７及び図８に示すように、２つのＬＥＤ（Light Emitting Diode）モジュール３と、取付部材４と、カバー５と、電源ユニット６と、無線通信ユニット７と、２つの取付具８とを備えている。
【００１９】
取付部材４は、正方形の取付板４０と、取付板４０の４つの辺からそれぞれ下向きに突出する４つの側板４１とを有している。ただし、取付板４０と４つの側板４１とは、亜鉛鋼板などの金属板が曲げ加工されて一体に形成されることが好ましい。４つの側板４１の各々は、細長い長方形状に形成されている。
【００２０】
２つのＬＥＤモジュール３の各々は、長方形状の実装基板３１の実装面（下面）に多数のＬＥＤ３０を実装して構成されている。各ＬＥＤ３０は、例えば、白色光を放射する照明用白色ＬＥＤである。これら複数のＬＥＤ３０は、実装基板３１の実装面に格子状に配置され、実装面に形成されている配線導体（銅はく）を介して互いに電気的に接続されている。また、各実装基板３１の実装面には、配線導体を介して各ＬＥＤ３０と電気的に接続されたレセプタクルコネクタ３２が実装されている。レセプタクルコネクタ３２は、後述するように電源ユニット６の出力線に結線されたプラグコネクタと抜き差し可能に接続される。２つのＬＥＤモジュール３は、取付板４０の下面に、左右方向に間隔を空けて並ぶようにして、ねじ止めにより取り付けられる（図９参照）。
【００２１】
電源ユニット６は、プリント配線板６１に電子部品が実装されて構成された電源回路と、この電源回路を収容するケース６０とを有している（図８参照）。電源回路は、入力コネクタ６２、整流器、力率改善回路、降圧型のＤＣ／ＤＣコンバータ、出力コネクタ６３などを備える。入力コネクタ６２は、電線を介して端子台１３と電気的に接続される。電源回路は、入力コネクタ６２から入力する交流電力を直流電力に変換した後、変換後の直流電力を出力コネクタ６３から電線（出力線）を介して出力する。直流電力は、出力線の先端に結線されたプラグコネクタ及びレセプタクルコネクタ３２を介して各ＬＥＤモジュール３の各ＬＥＤ３０に供給される。
【００２２】
プリント配線板６１は、長尺の矩形平板状の絶縁基板の部品面に配線導体（銅はく）が形成されている。プリント配線板６１の表面に、入力コネクタ６２、出力コネクタ６３、平滑コンデンサ、チョークコイルなどの、いわゆるリード部品が実装される。そして、プリント配線板６１のはんだ面に電源回路を構成している電子部品のうちの表面実装部品が実装される。ただし、入力コネクタ６２は、プリント配線板６１の長手方向の一端（左端）に実装され、出力コネクタ６３は、プリント配線板６１の長手方向の他端（右端）に実装されている。ケース６０は、図８に示すように、金属製の板材によって長尺の箱状に形成されている。ケース６０は、入力コネクタ６２及び出力コネクタ６３を露出するようにしてプリント配線板６１を内部に収容している。電源ユニット６は、取付板４０の上面における前端に、ケース６０の長手方向を左右方向に一致させるようにして取付板４０にねじ止めされている（図８参照）。
【００２３】
無線通信ユニット７は、図８に示すように、合成樹脂製のハウジング７０、信号ケーブル７１、プラグコネクタ７２などを備えている。無線通信ユニット７は、ハウジング７０内に収容されているアンテナで受信する無線信号（例えば、９２０ＭＨｚ帯の電波を媒体とする無線信号）から制御指令を取得するように構成されている。なお、無線信号は、送信機から送信され、照明器具１の点灯・消灯及び／又は調光などを行うための制御指令を伝送している。無線通信ユニット７は、信号ケーブル７１並びにプラグコネクタ７２を介して、無線信号から取得した制御指令を電源ユニット６の電源回路へ伝送するように構成されている。なお、プラグコネクタ７２は、電源ユニット６に設けられているレセプタクルコネクタと電気的に接続される。電源ユニット６の電源回路は、無線通信ユニット７から伝送されてくる制御指令に応じて、出力コネクタ６３から出力する直流電力を調整してＬＥＤモジュール３を点灯・消灯及び調光するように構成されている。
【００２４】
無線通信ユニット７は、取付板４０の上面に取り付けられている（図８参照）。取付板４０には、無線通信ユニット７のハウジング７０の一部（アンテナが収容されているアンテナ収容部７００）が挿通される孔４００が設けられている（図７参照）。無線通信ユニット７のハウジング７０は、アンテナ収容部７００が孔４００に挿通された状態で取付板４０の上面に固定されている。ただし、この孔４００は、取付板４０の下面において、２つのＬＥＤモジュール３の間に位置している。したがって、アンテナ収容部７００は、取付板４０の下面における２つのＬＥＤモジュール３の間から下向きに突出する（図９参照）。
【００２５】
２つの取付具８は同一の構成を有している。各取付具８は、取付ばね８０と、取付ばね８０を取付板４０に取り付けるための取付金具８５とを有している（図８参照）。取付ばね８０は、コイル部８１と、２本の腕部（第１腕部８２及び第２腕部８３）と、引掛片８４とを有するねじりコイルばねで構成されている。取付金具８５は、平板状のベース８５０と、ベース８５０に設けられたブリッジ状の支持部８５１と、ベース８５０に設けられた筒状の引掛部８５２とを有している。支持部８５１は、コイル部８１をその軸まわりに回転可能に支持する。引掛部８５２は、取付ばね８０の引掛片８４が引っ掛けられる（図８参照）。取付金具８５は、取付板４０の上面における前後方向の両端かつ左右方向の中央の位置にねじ止めされる（図８参照）。各取付ばね８０の第１腕部８２は、取付板４０の外に突出している（図９参照）。各取付ばね８０の第２腕部８３は、取付金具８５に引っ掛けられる（図８参照）。
【００２６】
カバー５は、図８に示すように、正方形状の底部５０と、底部５０の周縁から上向きに立ち上がる周壁部５１と、周壁部５１の上端に設けられた４つの取付部５２とを有している。底部５０と周壁部５１と４つの取付部５２は、アクリル樹脂やポリカーボネート樹脂などの透光性を有する合成樹脂材料によって一体に形成されることが好ましい。また、少なくとも底部５０及び周壁部５１は、その表面にシボ加工が施されることによって光を拡散するように構成されることが好ましい。あるいは、少なくとも底部５０及び周壁部５１は、合成樹脂材料に拡散剤が混入されることによって光を拡散するように構成されることが好ましい。各取付部５２は、周壁部５１の上端から底部５０と平行に突出する長方形状の突片５２０と、鉤形に形成されて周壁部５１の上端から上向きに突出する係合片５２１と、周壁部５１の上端から上向きに突出する突起５２２とを有している。
【００２７】
カバー５は、取付部材４の側板４１の内側に周壁部５１を収めるようにして取付部材４に取り付けられる。ここで、取付部材４の取付板４０において、カバー５の４つの取付部５２と対応する位置、すなわち、取付板４０の４つの辺における長手方向の中央に被取付部４２が１つずつ設けられている（図７及び図８参照）。各被取付部４２は、取付板４０を厚み方向に貫通する取付孔４２０と、取付孔４２０の縁から側板４１に沿うように上向きに突出するかしめ片４２１とを有している。各取付部５２の係合片５２１及び突起５２２は、取付板４０の下から上に向かって、対応する取付孔４２０に挿通される（図８参照）。そして、各かしめ片４２１が内向きにかしめられることにより、係合片５２１がかしめ片４２１に係合する。つまり、カバー５は、側板４１の内側に周壁部５１を収めるようにして取付部材４の取付板４０に取り付けられる（図８参照）。
【００２８】
次に、照明器具１を天井に施工する作業について説明する。施工作業を行う作業者は、まず、底壁１１０の挿通孔１１００に電源線を挿通した後、ボルト挿通孔１１０１に挿通した吊りボルト９０にナット９１を締め付けることで器具本体１０を吊りボルトに取り付ける（図４参照）。また、作業者は、挿通孔１１００から引き込んだ電源線を端子台１３に結線することで器具本体１０を天井に配設する。なお、器具本体１０は、収容部１１と反射部材１２を導通部１１３で電気的に導通させているので、収容部１１と反射部材１２の両方に接地工事を行う手間を省くことができる。
【００２９】
続いて、作業者は、後側の側板１２１に設けられた貫通孔１２４を通して、後側の側壁１１１に設けられた引掛部１１４に後側の取付ばね８０の第１腕部８２を挿入する（図３参照）。このとき、作業者は、後側の取付ばね８０の第１腕部８２を、後側の側壁１１１の引掛部１１４が有する仮保持片１１４０に引っ掛けることで光源ユニット２を器具本体１０に仮保持させることができる。作業者は、光源ユニット２を器具本体１０に仮保持させた状態で端子台１３と電源ユニット６の結線作業を行う。
【００３０】
そして、作業者は、前側の側壁１１１に設けられた引掛部１１４に前側の取付ばね８０の第１腕部８２を差し込んだ後、光源ユニット２を持ち上げて収容部１１内に収容する。光源ユニット２が収容部１１内に収容されると、各取付ばね８０の第１腕部８２が側壁１１１の引掛部１１４の縁に引っ掛かる。その結果、光源ユニット２は、２つの取付ばね８０のばね力によって器具本体１０に支持される。以上のような手順で照明器具１の施工作業が完了する。なお、取付部材４の取付板４０の上面が収容部１１の規制部１１５の下端に当たることによって、収容部１１内における光源ユニット２の位置が規制されている（図６参照）。そのため、照明器具１は、電源ユニット６が取付板４０に当たらず、器具本体１０から光源ユニット２に加わる応力の低減を図ることが可能になる。
【００３１】
ここで、照明器具１の器具本体１０は、第１本体（収容部１１）と第２本体（反射部材１２）の２つの部品を備えている。そして、照明器具１は、吊りボルト９０に取り付けられる収容部１１に、光源ユニット２を支持させるように構成されている。そのため、収容部１１には器具本体１０と光源ユニット２を支持するための機械的な強度が要求されるが、反射部材１２にはそのような機械的な強度が要求されない。したがって、収容部１１を形成する金属板の板厚よりも、反射部材１２を形成する金属板の板厚を薄くすることが可能である。その結果、照明器具１は、収容部１１と反射部材１２が同じ板厚の金属板で形成される場合と比較して、収容部１１を形成する金属板よりも板厚の薄い金属板で反射部材１２が形成される場合には器具本体１０の製造コストの削減を図ることが可能である。
【００３２】
ところで、反射部材１２の側板１２１は、光源ユニット２の取付ばね８０が挿通される貫通孔１２４を有している。したがって、仮に、地震による強い揺れが生じて係止部１１２の係止が外れたとしても、側板１２１における貫通孔１２４の上縁に取付ばね８０が引っ掛かるために反射部材１２が落下する可能性は低い。
【００３３】
なお、光源ユニット２が備える２つの取付具８は、必ずしも同一構造でなくてもかまわない。例えば、光源ユニット２の変形例として、図１０に示すように片側の取付具８が取付ばね８０の代わりに鉤形の引掛金具８６を有していてもかまわない。引掛金具８６は、鉤形に形成されて光源ユニット２の取付部材４の端から外向きに突出している。引掛金具８６は、器具本体１０の側壁１１１の引掛部１１４に引っ掛けられて光源ユニット２を器具本体１０に仮保持させることができる。そして、光源ユニット２は、引掛金具８６が後側の引掛部１１４に引っ掛けられ、取付ばね８０が前側の引掛部１１４に引っ掛けられることにより、器具本体１０の収容部１１に支持される。
【００３４】
上述のように照明器具１は、光源ユニット２と、光源ユニット２を支持する器具本体１０とを有している。光源ユニット２は、光源（ＬＥＤ３０）と、板状に形成されてＬＥＤ３０が取り付けられる取付部材４と、取付具８とを備える。器具本体１０は、天井（天井躯体９）に設けられている構造物（吊りボルト９０）に固定される第１本体（収容部１１）と、収容部１１に結合されて光源ユニット２が発する光の配光を調整する第２本体（反射部材１２）とを備える。収容部１１は、取付具８の一部（取付ばね８０又は引掛金具８６）が引っ掛けられる引掛部１１４を有する。
【００３５】
照明器具１は上述のように構成されるので、収容部１１には器具本体１０と光源ユニット２を支持するための機械的な強度が要求されるが、反射部材１２にはそのような機械的な強度が要求されない。したがって、収容部１１を形成する金属板の板厚よりも、反射部材１２を形成する金属板の板厚を薄くすることが可能である。その結果、照明器具１は、収容部１１と反射部材１２が同じ板厚の金属板で形成される場合と比較して、収容部１１を形成する金属板よりも板厚の薄い金属板で反射部材１２が形成される場合には器具本体１０の製造コストの削減を図ることが可能である。
【００３６】
また、照明器具１において、収容部１１は、四辺形状の底壁１１０と、底壁１１０の周縁から立ち上がる四辺形状の側壁１１１とを有し、底壁１１０と対向する一面に前記側壁に囲まれた開口部を有する箱状に形成されていることが好ましい。反射部材１２は、軸方向に沿った両側の端部が開口した筒状の囲い部（反射板１２０）と、両側の端部のうちの片側の端部から軸方向に沿って反射板１２０から離れる向きに突出する側板１２１とを有することが好ましい。側壁１１１は、側板１２１に係止する係止部１１２を有することが好ましい。係止部１１２は、側板１２１が底壁１１０から離れる向き（下向き）に変位することを妨げるように構成されていることが好ましい。
【００３７】
照明器具１は上述のように構成されるので、例えば、地震による強い揺れが生じた場合に係止部１１２の係止が外れ難くなり、反射部材１２が落下する可能性を低くすることができる。
【００３８】
照明器具１において、引掛部１１４は、側壁１１１をその厚み方向に貫通する孔を有することが好ましい。側壁１１１における孔の縁に取付具８の一部（取付ばね８０、引掛金具８６）が引っ掛けられるように構成されることが好ましい。側板１２１は、その厚み方向に沿って孔と重なる貫通孔１２４を有することが好ましい。光源ユニット２は、取付具８の一部（取付ばね８０、引掛金具８６）が引掛部１１４に引っ掛けられた状態で器具本体１０に支持されていることが好ましい。
【００３９】
照明器具１は上述のように構成されるので、例えば、地震による強い揺れが生じて係止部１１２の係止が外れたとしても、側板１２１における貫通孔１２４の上縁に取付具８の一部が引っ掛かる。そのため、照明器具１は、反射部材１２の落下の可能性を低減することができる。
【００４０】
照明器具１において、器具本体１０は、導電性を有する収容部１１と導電性を有する反射部材１２とを電気的に導通させる導通部１１３を備えることが好ましい。
【００４１】
照明器具１は上述のように構成されるので、収容部１１と反射部材１２の両方に接地工事を行う手間を省くことができる。
【符号の説明】
【００４２】
１  照明器具
２  光源ユニット
４  取付部材
８  取付具
９  天井躯体（天井）
１０  器具本体
１１  収容部（第１本体）
１２  反射部材（第２本体）
３０  ＬＥＤ（光源）
８０  取付ばね（取付具の一部）
８６  引掛金具（取付具の一部）
９０  吊りボルト（構造物）
１１０  底壁
１１１  側壁
１１２  係止部
１１３  導通部
１１４  引掛部
１２０  反射板（囲い部）
１２１  側板
１２４  貫通孔
【図１】
2018147592.tif 000003
【図２】
2018147592.tif 000004
【図３】
2018147592.tif 000005
【図４】
2018147592.tif 000006
【図５】
2018147592.tif 000007
【図６】
2018147592.tif 000008
【図７】
2018147592.tif 000009
【図８】
2018147592.tif 000010
【図９】
2018147592.tif 000011
【図１０】
2018147592.tif 000012